(57)【要約】      （修正有）【課題】画像非表示状態において、表示装置の表示面と表示装置の周辺に設けられた部材との境目を目立ちにくくする。【解決手段】パネル付き表示装置は、表示面２１を有する表示装置２０と、表示面２１への法線方向からの観察において表示面２１と境目Ｂを形成するように配置されたパネル部材４０と、表示面２１とパネル部材４０との境目Ｂを覆うように配置された光学シート５０と、を備える。光学シート５０は、表示面２１と平行なある方向に並んだ光透過部６５及び光吸収部７０を含む。【選択図】図２
2019045842.tif 000002
【特許請求の範囲】
【請求項１】
表示面を有する表示装置と、
前記表示面への法線方向からの観察において前記表示面と境目を形成するように配置されたパネル部材と、
前記表示面と前記パネル部材との前記境目を覆うように配置された光学シートと、を備え、
前記光学シートは、前記表示面と平行なある方向に並んだ光透過部及び光吸収部を含む、パネル付き表示装置。
【請求項２】
前記パネル部材は、開口部を有し、
前記表示面への法線方向からの観察において前記表示面が前記開口部内に位置している、請求項１に記載のパネル付き表示装置。
【請求項３】
前記パネル部材は、基材部と、前記基材部上に設けられた加飾部と、を含む、請求項１または２のいずれか一項に記載のパネル付き表示装置。
【請求項４】
前記光吸収部は、バインダー樹脂と、光吸収粒子と、を含む、請求項１乃至３のいずれか一項に記載のパネル付き表示装置。
【請求項５】
前記バインダー樹脂の屈折率は、前記光透過部の樹脂の屈折率以下である、請求項４に記載のパネル付き表示装置。
【請求項６】
前記バインダー樹脂は、前記光透過部の樹脂と同種の樹脂である、請求項４または５に記載のパネル付き表示装置。
【請求項７】
前記光透過部は、第１方向に配列され、
前記光吸収部は、前記光透過部と前記第１方向に交互に配列され
前記光透過部及び前記光吸収部は、前記第１方向と非平行な方向に線状に延びる、請求項１乃至６のいずれか一項に記載のパネル付き表示装置。
【請求項８】
前記表示面と前記パネル部材との境目を覆うよう配置された第２光学シートをさらに備え、
前記第２光学シートは、前記第１方向と非平行な第２方向に配列された第２光透過部と、前記第２光透過部と前記第２方向に交互に配列された第２光吸収部と、を含み、
前記第２光透過部及び前記第２光吸収部は、前記第２方向と非平行な方向に線状に延びる、請求項７に記載のパネル付き表示装置。
【請求項９】
前記光学シートは、前記光吸収部を形成するシート材と、前記シート材に設けられ且つ前記光透過部を形成する孔と、を含む、請求項１乃至６のいずれか一項に記載のパネル付き表示装置。
【請求項１０】
請求項１乃至９のいずれか一項に記載のパネル付き表示装置を備えた、移動体の内外装部材。
【請求項１１】
請求項１０に記載の内外装部材を備えた、移動体。
【請求項１２】
表示装置の表示面への法線方向からの観察において前記表示面と境目を形成するように配置されるパネル部材と、
前記表示面と前記パネル部材との境目を覆うように配置される光学シートと、を備え、
前記光学シートは、前記表示面と平行なある方向に並んだ光透過部及び光吸収部を含む、パネル。
【発明の詳細な説明】
【技術分野】
【０００１】
本発明は、パネル付き表示装置、パネル付き表示装置を有する移動体の内外装部材、および内外装部材を備える移動体に関する。また本発明は、表示装置に配置されるパネルに関する。
【背景技術】
【０００２】
例えば特許文献１に記載されているような、画像光を表示する表示装置が知られている。このような表示装置は、画像非表示の状態では、通常、黒色に観察される。一方で、例えば自動車や家具、住宅建材等の表面部材においては、意匠性が非常に重要視される。現在、種々の分野に適用される表示装置に対し、単に画像を表示する機能が期待されているだけでなく、意匠面における周囲環境との調和も要求されている。
【先行技術文献】
【特許文献】
【０００３】
【特許文献１】特開平９−１１４００３号公報
【発明の概要】
【発明が解決しようとする課題】
【０００４】
ところで、画像非表示の状態において、表示装置の表示面の存在が目立つことがあった。画像非表示の状態において、表示装置の表示面の存在が目立つと、意匠面における周囲環境との調和が乱されてしまう。そこで、画像非表示状態の表示装置の表示面と同様の意匠を有する部材、典型的には黒色の部材を表示装置の周辺に設けることが考えられた。しかしながら、図１６に示すように、単に表示装置の周辺に黒色の部材を設けることでは、表示装置の存在を十分に目立たなくすることができなかった。本件発明者らが確認したところ、表示面は、表示装置の表示面と表示装置の周辺に設けられた部材との境目が認識されることで目立っていた。したがって、表示装置の表示面と表示装置の周辺に設けられた部材との境目を目立たせないことが望まれている。
【０００５】
本発明は、このような点を考慮してなされたものであり、画像非表示状態において、表示装置の表示面と表示装置の周辺に設けられた部材との境目を目立ちにくくすることを目的とする。
【課題を解決するための手段】
【０００６】
本発明のパネル付き表示装置は、
表示面を有する表示装置と、
前記表示面への法線方向からの観察において前記表示面と境目を形成するように配置されたパネル部材と、
前記表示面と前記パネル部材との前記境目を覆うように配置された光学シートと、を備え、
前記光学シートは、前記表示面と平行なある方向に並んだ光透過部及び光吸収部を含む。
【０００７】
本発明のパネル付き表示装置において、
前記パネル部材は、開口部を有し、
前記表示面への法線方向からの観察において前記表示面が前記開口部内に位置していてもよい。
【０００８】
本発明のパネル付き表示装置において、前記パネル部材は、基材部と、前記基材部上に設けられた加飾部と、を含んでもよい。
【０００９】
本発明のパネル付き表示装置において、
前記光吸収部は、バインダー樹脂と、光吸収粒子と、を含んでもよい。
【００１０】
本発明のパネル付き表示装置において、
前記バインダー樹脂の屈折率は、前記光透過部の樹脂の屈折率以下であってもよい。
【００１１】
本発明のパネル付き表示装置において、前記バインダー樹脂は、前記光透過部の樹脂と同種の樹脂であってもよい。
【００１２】
本発明のパネル付き表示装置において、
前記光透過部は、第１方向に配列され、
前記光吸収部は、前記光透過部と前記第１方向に交互に配列され
前記光透過部及び前記光吸収部は、前記第１方向と非平行な方向に線状に延びてもよい。
【００１３】
本発明のパネル付き表示装置において、
前記表示面と前記パネル部材との境目を覆うよう配置された第２光学シートをさらに備え、
前記第２光学シートは、前記第１方向と非平行な第２方向に配列された第２光透過部と、前記第２光透過部と前記第２方向に交互に配列された第２光吸収部と、を含み、
前記第２光透過部及び前記第２光吸収部は、前記第２方向と非平行な方向に線状に延びてもよい。
【００１４】
本発明のパネル付き表示装置において、前記光学シートは、前記光吸収部を形成するシート材と、前記シート材に設けられ且つ前記光透過部を形成する孔と、を含んでもよい。
【００１５】
本発明の移動体の内外装部材は、上述したいずれかのパネル付き表示装置を備える。
【００１６】
本発明の移動体は、上述した内外装部材を備える。
【００１７】
本発明のパネルは、
表示装置の表示面への法線方向からの観察において前記表示面と境目を形成するように配置されるパネル部材と、
前記表示面と前記パネル部材との境目を覆うように配置される光学シートと、を備え、
前記光学シートは、前記表示面と平行なある方向に並んだ光透過部及び光吸収部を含む。
【発明の効果】
【００１８】
本発明によれば、画像非表示状態において、表示装置の表示面と表示装置の周辺に設けられた部材との境目を目立ちにくくすることができる。
【図面の簡単な説明】
【００１９】
【図１】図１は、パネル付き表示装置の各要素を概略的に示す分解斜視図である。
【図２】図２は、パネル付き表示装置の断面図である。
【図３】図３は、パネル付き表示装置の光学シートを拡大して示す断面図である。
【図４】図４は、表示面に画像を表示した状態のパネル付き表示装置を示す正面図である。
【図５】図５は、表示面に画像を表示しない状態のパネル付き表示装置を示す正面図である。
【図６】図６は、光学シートの変形例を示す光学シートの断面図である。
【図７】図７は、図６の光学シートの製造方法を説明するための図である。
【図８】図８は、図６の光学シートの製造方法を説明するための図である。
【図９】図９は、図６の光学シートの製造方法を説明するための図である。
【図１０】図１０は、図６の光学シートの製造方法を説明するための図である。
【図１１】図１１は、第２光学シートを説明するための図である。
【図１２】図１２は、光学シートの変形例を示す光学シートの正面図である。
【図１３】図１３は、パネル付き表示装置の一変形例を説明するための図である。
【図１４】図１４は、パネル付き表示装置の他の変形例を説明するための図である。
【図１５】図１５は、光学シートの作用を説明するための光学シートの断面図である。
【図１６】図１６は、表示面に画像を表示しない状態の従来の表示装置を示す正面図である。
【発明を実施するための形態】
【００２０】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２１】
なお、本明細書において、「層」、「シート」及び「フィルム」の用語は、呼称の違いのみに基づいて互いから区別されるものではない。例えば「層」という用語は、シート或いはフィルムと呼ばれ得るような部材も含む概念である。
【００２２】
また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２３】
図１は、本発明による一実施の形態のパネル付き表示装置１０を概略的に示す分解斜視図である。図１に示されるように、パネル付き表示装置１０は、表示装置２０と、パネル３０と、を備えている。なお、図示されている例では、パネル付き表示装置１０は、平板状に示されているが、湾曲形状であってもよい。
【００２４】
表示装置２０は、画像光を出射する装置であり、画像光を出射することができる表示面２１を有している。表示装置２０は、液晶ディスプレイやプラズマディスプレイ、有機ＥＬディスプレイ等の任意の表示装置を用いることができる。このような表示装置２０の表示面２１は、典型的にはガラス面となっている。
【００２５】
パネル３０は、表示装置２０の表示面２１側に配置された部材である。パネル３０は、表示面２１に隣接して配置されるパネル部材４０と、光透過部６５及び光吸収部７０を含む光学シート５０と、を有している。パネル部材４０は、表示面２１への法線方向からの観察において表示面２１と境目Ｂを形成するように配置される。光学シート５０の最外面が、パネル付き表示装置１０から画像光を出射する出射面１１となっている。また、パネル部材４０は、開口部４７を有している。表示面２１への法線方向からの観察において表示面２１が開口部４７内に位置している。光透過部６５及び光吸収部７０は、表示面２１と平行なある方向に並んでいる。したがって、表示装置２０の表示面２１から出射した画像光は、開口部４７を介してパネル部材４０を透過することができ、また、光学シート５０の光透過部６５を透過することができる。すなわち、表示装置２０から出射された画像光は、パネル３０を透過することができる。画像光がパネル３０を透過することで、出射面１１から画像光が出射され、パネル付き表示装置１０に対面する外部の観察者は、画像光を観察することができる。
【００２６】
なお、ここで言う画像光の具体的な態様は特に限定されず、画像光は、具体的な種類や内容を問わず、光全般を含み得る。典型的には特定の情報を表す光によって画像光が構成され得るが、他の任意の態様を有する光（例えば不規則な図柄を表す光や何らの特定情報も表さない光等）によって画像光が構成されてもよい。例えば、画像光は、印刷が施された透明なフィルム等を透過させて画像を表示する光であってもよいし、遮光物によって明暗の画像を表示する光であってもよい。画像光が印刷が施された透明なフィルム等を透過させた光や遮光物によって明暗を表示する光である場合、印刷が施された透明なフィルムや遮光物が、表示装置２０に含まれるとしてもよい。
【００２７】
次に、パネル部材４０について説明する。上述したように、パネル部材４０は、表示面２１の法線方向からの観察において、表示面２１と隣接して配置される。すなわち、パネル部材４０は、表示面２１の法線方向からの観察において、表示面２１との間に境目Ｂを形成する。図１及び図２に示す例において、パネル部材４０は、パネル付き表示装置１０を正面から観察した際に、表示装置２０の周辺に設けられている。逆に言えば、パネル部材４０が設けられた領域に表示装置２０が設置され、この表示装置２０がパネル部材４０とともにパネル付き表示装置１０を形成する。パネル部材４０は、表示装置２０の画像非表示時に表示装置２０を目立たせないために、表示装置２０の画像非表示時と同様の意匠を有し、典型的には黒色である。パネル部材４０は、例えば厚さ０．５ｍｍの板状部材である。
【００２８】
図２に示されているように、パネル部材４０は、基材部４１と、基材部４１上に設けられた加飾部４５と、を含んでいる。基材部４１は、パネル部材４０の要素、本実施の形態では加飾部４５を適切に支持することができる部材である。加飾部４５は、パネル部材４０に意匠性を付与するための部材であり、典型的には黒色となっている。このような加飾部４５は、例えば黒色顔料を含む樹脂によって形成される。しかしながら、加飾部４５は、パネル部材４０が設けられる環境に応じて、木目調や大理石調等の任意の意匠性を付与するものであってもよい。
【００２９】
図１に示されるように、パネル部材４０は、矩形の開口部４７を有するロ字型となっている。しかしながら、これに限らず、パネル部材４０は、Ｌ字型、コ字型等の、矩形から一部を除いた形状であってもよい。このような形状でも、表示面２１への法線方向からの観察において表示面２１がパネル部材４０の矩形から除かれた部分内に位置することで、表示面２１から出射した画像光がパネル部材４０を透過することができる。また、パネル部材４０は、矩形に限らず、円形等の任意の形状であってもよい。さらには、開口部４７の形状も任意の形状であってもよい。
【００３０】
次に、光学シート５０について説明する。光学シート５０は、パネル付き表示装置１０を表示面２１の正面から観察した際に、表示面２１とパネル部材４０との境目Ｂを覆うように配置される。すなわち、光学シート５０は、パネル部材４０の開口部４７より大きくなっている。後述するように、光学シート５０によって、表示装置２０の表示面２１と表示装置２０の周辺に設けられた部材であるパネル部材４０との境目Ｂを目立ちにくくすることができる。なお、好ましくは、光学シート５０は、パネル付き表示装置１０を表示面２１の正面から観察した際に、表示面２１およびパネル部材４０の全面を覆うように配置される。これによって、光学シート５０の有無によって生じる差異が視認されることによる意匠性の低下を避けることができる。
【００３１】
図３は、光学シート５０の拡大断面図である。図３に示すように、光学シート５０は、基材層５１と、基材層５１に設けられた光制御層６０と、を有する。基材層５１は、光学シート５０の要素、本実施の形態では光制御層６０を適切に支持することができ、可視光透過性を有する。光制御層６０は、光透過部６５と光吸収部７０とを含む。したがって、光学シート５０は、光透過部６５による透過性を有しながらも、光吸収部７０による遮光性をも有する。言い換えると、光学シート５０は、入射した光の一部を吸収し、他の一部を透過させる。光制御層６０の厚さは、例えば１２０μｍ以上１７０μｍ以下である。また、基材層５１と光制御層６０の光透過部６５との間に反射界面が形成されることを避けるために、基材層５１の屈折率と光透過部６５の屈折率とが、同一であることが好ましい。典型的には、基材層５１は、光透過部６５と同一の材料から形成される。
【００３２】
上述したように、光透過部６５及び光吸収部７０は、表示面２１と平行なある方向に並んでいる。より具体的には、図１乃至図３によく示されているように、光透過部６５は、第１方向ｄ１に配列され、第１方向ｄ１と非平行な方向、図示された例では第１方向ｄ１に直交する方向に線状に延びている。また、光吸収部７０は、光透過部６５と第１方向ｄ１に交互に配列され、第１方向ｄ１と非平行な方向、図示された例では第１方向ｄ１に直交する方向に線状に延びている。
【００３３】
また、図３に示されているように、光吸収部７０は、バインダー樹脂７５と、バインダー樹脂７５内に設けられる複数の光吸収粒子７７と、を含む。光吸収粒子７７によって、光吸収部７０は、入射した光を吸収することができる。このような光吸収粒子７７としては、カーボンブラックを含有したアクリルビーズを例示できる。
【００３４】
さらに、光透過部６５と光吸収部７０との間の界面で画像光が全反射しないよう、光吸収部７０のバインダー樹脂７５の屈折率は、光透過部６５の材料、典型的には樹脂の屈折率以下であることが好ましい。さらには、光透過部６５と光吸収部７０との間の界面で画像光が反射しないよう、光透過部６５と光吸収部７０との間の界面が光学的な界面とならないことがより好ましい。すなわち、光吸収部７０のバインダー樹脂７５の屈折率が光透過部６５の樹脂の屈折率と同一であることがより好ましい。本実施の形態においては、光吸収部７０のバインダー樹脂７５の屈折率及び光透過部６５の樹脂の屈折率は、ともに１．５５となっている。このような光吸収部７０のバインダー樹脂７５の屈折率及び光透過部６５の樹脂の屈折率の関係は、光吸収部７０のバインダー樹脂７５が、光透過部６５の樹脂と同種の樹脂であることで満たされ得る。ここで、同種の樹脂とは、同一種類の主成分材料を用いて形成される樹脂のことを意味する。したがって、例えば、光吸収部７０のバインダー樹脂７５及び光透過部６５が共にウレタンアクリレート系樹脂で形成されている場合や、光吸収部７０のバインダー樹脂７５及び光透過部６５が共にエポキシアクリレート系樹脂で形成されている場合には、光吸収部７０のバインダー樹脂７５が、光透過部６５の樹脂と同種の樹脂であると言える。
【００３５】
光吸収部７０の断面形状は、種々の形状を採用することができる。図２及び図３に示す例では、光吸収部７０の幅Ｗは、表示面２１から離間するにつれて細くなるよう変化している。ここで、光吸収部７０の幅Ｗが表示面２１から離間するにつれて細くなるよう変化しているとは、光吸収部７０の幅Ｗが表示面２１からの距離に応じて連続的に変化し続けていることのみを意味しているのではなく、表示面２１から離間するに伴って幅Ｗが細くなる部分を含み且つ表示面２１から離間するに伴って幅Ｗが太くなる部分を含まないことを意味している。ただし、図２及び図３に示された例に限らず、光吸収部７０の幅Ｗは、表示面２１から離間するにつれて太くなるよう変化していてもよいし、表示面２１から離間しても変化せず一定であってもよい。図２及び図３に示された本実施の形態において、例えば光吸収部７０の形状は深さ１３５μｍ、出射面１１側の幅２２μｍの楔形状であり、光透過部６５の出射面１１側の幅は２５μｍである。
【００３６】
次に、本発明のパネル付き表示装置１０の作用について説明する。
【００３７】
図４には、表示面２１に画像を表示した状態の本実施の形態のパネル付き表示装置１０が示されている。上述したように、表示面２１から出射した画像光は、パネル部材４０の開口部４７及び光学シート５０の光透過部６５を透過することで、パネル付き表示装置１０の出射面１１から出射し、外部の観察者に観察される。なお、光学シート５０の光吸収部７０は、光透過部６５を透過する画像光が十分な明るさを有していると極めて観察されにくい。したがって、外部の観察者は、光吸収部７０を認識することなく、画像光のみを観察することができる。
【００３８】
ここで、本実施の形態とは異なり、光吸収部１７０のバインダー樹脂１７５の屈折率が光透過部１６５の樹脂の屈折率より大きい場合、図１５に示すように、光透過部１６５と光吸収部１７０との間の界面で画像光が全反射し得る。全反射した画像光Ｌ１３２が存在すると、反射することなく光透過部１６５を透過した画像光Ｌ１３１と、全反射した画像光Ｌ１３２とによって、同一の画像を表示する光が異なる位置に見えてしまうことがある。すなわち、二重像が観察されてしまうことがある。二重像が観察されることは、表示面２１に表示されている画像の視認性を悪化させるため、好ましくない。
【００３９】
一方、本実施の形態では、光吸収部７０のバインダー樹脂７５の屈折率が光透過部６５の樹脂の屈折率と同じとなっており、光透過部６５と光吸収部７０との間の界面が光学的な界面とならず、光透過部６５と光吸収部７０との間の界面で画像光が全反射しない。すなわち、図３に示すように、光吸収部７０に入射した画像光Ｌ３２は、光吸収部７０に吸収され、観察されない。一方、光吸収部７０に入射せずに光透過部６５を透過する画像光Ｌ３１は、外部の観察者に観察され得る。したがって、本実施の形態のパネル付き表示装置１０では、二重像が観察されにくく、表示面２１に表示されている画像の視認性を悪化させにくい。
【００４０】
図５及び図１６には、表示面に画像を表示しない状態のパネル付き表示装置が示されている。まず、図１６に示されている従来のパネル付き表示装置１１０について説明する。従来のパネル付き表示装置１１０は、表示面１２１を有する表示装置１２０と、開口部１４７を有するパネル部材１４０と、を有するが、本実施の形態とは異なり、光学シート５０を有さない。このようなパネル付き表示装置１１０においては、パネル部材１４０の加飾部１４５を画像非表示状態の表示装置１２０の表示面１２１と色や光沢等の外観をできるだけ近づけて設けたとしても、完全に外観を一致させることは現実的には困難である上、表示装置１２０とパネル部材１４０との間の微小な段差等に起因して、表示装置１２０の表示面１２１とパネル部材１４０との境目Ｂが目立ってしまう。このため、従来のパネル付き表示装置１１０では、表示装置１２０の表示面１２１が目立ってしまい、意匠面において劣ってしまう。
【００４１】
次に、図５に示されている本実施の形態のパネル付き表示装置１０について説明する。上述したように、本実施の形態のパネル付き表示装置１０は、光吸収部７０を含む光学シート５０を有しており、この光学シート５０が表示面２１とパネル部材４０との境目Ｂを覆うように配置されている。したがって、画像非表示状態の表示装置２０の表示面２１、パネル部材４０及び境目Ｂは、光学シート５０によって、図１６に示した従来のパネル付き表示装置１１０に比べて、視認されにくくなる。このため、表示面２１、パネル部材４０及び境界Ｂの各々の区別がつきにくくなる。すなわち、光学シート５０によって、境目Ｂが目立ちにくくなる。
【００４２】
以上のように、本実施の形態のパネル付き表示装置１０は、表示面２１を有する表示装置２０と、表示面２１への法線方向からの観察において表示面２１と境目Ｂを形成するように配置されたパネル部材４０と、表示面２１とパネル部材４０との境目Ｂを覆うように配置された光学シート５０と、を備え、光学シート５０は、表示面２１と平行なある方向に並んだ光透過部６５及び光吸収部７０を含む。このようなパネル付き表示装置１０によれば、表示面２１から画像光が出射されない状態では、光学シート５０の光吸収部７０によって、表示面２１、パネル部材４０、及び境界Ｂの各々の区別がつきにくくなる。すなわち、画像非表示状態において、表示装置２０の表示面２１と表示装置２０の周辺に設けられたパネル部材４０との境目Ｂを目立ちにくくすることができる。
【００４３】
また、本実施の形態のパネル付き表示装置１０において、光吸収部７０は、バインダー樹脂７５と、光吸収粒子７７と、を含み、バインダー樹脂７５の屈折率は、光透過部６５の樹脂の屈折率以下である。このようなパネル付き表示装置１０によれば、光透過部６５と光吸収部７０との間の界面で画像光が全反射しない。したがって、全反射した画像光が観察されず、二重像が観察されにくい。すなわち、表示面２１に表示されている画像の視認性の悪化を抑制することができる。
【００４４】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【００４５】
（光学シートに意匠部を設けた変形例）
上述した実施の形態において、図６に示すように、光学シート５０が意匠性を有する意匠部５５をさらに有してもよい。意匠部５５によって、表示面２１に重なる位置に意匠性を付与することができる。ここで「表示面２１に重なる位置」とは、表示面２１の法線方向の表示面２１に対面する位置を意味している。なお、本変形例においては、図６に示すように、光吸収部７０の幅Ｗは、表示面２１から離間するにつれて太くなるよう変化している。
【００４６】
このような意匠部５５は、光学シート５０の光透過部６５を透過する画像光を阻害しないよう、光吸収部７０に重なる位置に配置されている。また、意匠部５５は、光吸収部７０の第１方向ｄ１における幅Ｗ以下の幅を有している。すなわち、意匠部５５は、光吸収部７０の配列パターンに対応したパターンで配列されている。本変形例において、意匠部５５は、意匠部５５を設けるための接合層５３を介して光吸収部７０に重なる位置に配置されている。このような意匠部５５の厚さは、例えば１μｍ以上１０μｍ以下である。なお、図６において、意匠部５５の断面形状は、矩形となっているが、これに限らず、台形形状等であってもよい。
【００４７】
接合層５３は、接着性を有し、例えば紫外線硬化型の樹脂である。また、接合層５３は、可視光透過率が高いものを用いることが好ましい。
【００４８】
意匠部５５は、黒色であってもよいし、パネル付き表示装置１０が設けられる環境に応じて、木目調や大理石調等の任意の意匠性を付与するものであってもよい。意匠部５５が付与する意匠とパネル部材４０の加飾部４５が付与する意匠とは、表示面２１とパネル部材４０との境目Ｂを目立たせないために、同一であることが好ましい。
【００４９】
また、光学シート５０が意匠部５５を有する場合、図６に示すように、光吸収部７０は、表示装置２０及びパネル部材４０が配置された側となる第１部分７１と、意匠部５５が重なる側となる第２部分７２と、を含むことが好ましい。この場合、第２部分７２は、白色であることが好ましい。第２部分７２が白色であると、画像非表示状態で意匠部５５が観察される際に、意匠部５５と混色せず、意匠部５５の意匠性に影響を及ぼさない。また、第１部分７１は、黒色であることが好ましい。第１部分７１が黒色であると、第１部分７１に入射した画像光を吸収することができ、意匠部５５によって着色された画像光が出射することを防止することができる。
【００５０】
次に、基材層５１及び光制御層６０を有する部材に意匠部５５を設けた光学シート５０の製造方法の一例について、説明する。まず、図７に示すように、光制御層６０の意匠部５５を設ける側に、接合層５３を設ける。設けられる接合層５３は、紫外線硬化型の樹脂である。その後、図７に示すように、光制御層６０の接合層５３が設けられた側とは逆側から、紫外線Ｌ７を照射する。紫外線Ｌ７は、光吸収部７０によって吸収されるため、光吸収部７０と重なる位置に設けられた接合層５３は、紫外線を照射されず硬化しない。一方、光透過部６５と重なる位置に設けられた接合層５３は、紫外線Ｌ７の照射によって硬化する。すなわち、図８に示すように、光透過部６５と重なる位置に設けられた接合層５３は、接着性が失われる。一方、光吸収部７０と重なる位置に設けられた接合層５３は、接着性を有したままである。
【００５１】
次に、図９に示すように、基材５７上に支持された加飾層５５ａが、接合層５３上に設けられる。加飾層５５ａによって、意匠部５５が形成される。また、加飾層５５ａは、光透過性を有している。加飾層５５ａは、接合層５３の接着性を有する部分において接合層５３を介して光制御層６０と接合する。その後、図９に示すように、加飾層５５ａが設けられた側から、紫外線Ｌ９を照射する。紫外線Ｌ９が加飾層５５ａを透過することができるため、紫外線Ｌ９の照射により、光吸収部７０と重なる位置に設けられた接合層５３が、加飾層５５ａと接合した状態で硬化する。
【００５２】
次に、図１０に示すように、光制御層６０から基材５７が剥離される。基材５７が剥離される際に、光制御層６０の光吸収部７０に重なる位置に設けられた加飾層５５ａは、光制御層６０と接合しているため、基材５７から分離して意匠部５５を形成する。一方、光制御層６０の光透過部６５に重なる位置に設けられた加飾層５５ａは、光制御層６０と接合していないため、基材５７とともに光制御層６０から剥離される。以上の工程によって、図６に示した意匠部５５を有する光学シート５０を得ることができる。
【００５３】
光学シート５０が意匠性を有する意匠部５５を有することで、意匠部５５によって、光学シート５０が配置された部分に意匠性を付与することができる。とりわけ、画像非表示状態において、表示面２１と重なる位置に意匠性を付与することができる。
【００５４】
（第２光学シートを設けた変形例）
また、上述した実施の形態において、パネル付き表示装置１０は、光学シートを１つ有していたが、光学シートを２つ有してもよい。すなわち、パネル付き表示装置１０は、光学シート５０に加え、第２光学シート８０をさらに備えてもよい。第２光学シート８０は、光学シート５０と同様に、表示面２１とパネル部材４０との境目Ｂを覆うように配置され、表示面２１と平行なある方向に並んだ第２光透過部８５及び第２光吸収部９０を含む。図１１に示された例では、第２光透過部８５は、第１方向ｄ１と非平行な第２方向ｄ２に配列され、第２光吸収部９０は、第２光透過部８５と第２方向ｄ２に交互に配置されている。第２光透過部８５及び第２光吸収部９０は、第２方向ｄ２と非平行な方向、図示された例では第２方向ｄ２に直交する方向に線状に延びている。なお、図示された例において、第１方向ｄ１と第２方向ｄ２とは互いに直交している。
【００５５】
第２光学シート８０は、光学シート５０に重なる位置に配置される。したがって、第２光学シート８０の最外面が、パネル付き表示装置１０の出射面１１となっている。第２光学シート８０の第２光吸収部９０によって、画像非表示状態の表示装置２０の表示面２１、パネル部材４０及び境目Ｂは、より視認されにくくなる。このため、表示面２１、パネル部材４０及び境界Ｂの各々の区別がよりつきにくくなる。すなわち、第２光学シート８０によって、境目Ｂがより目立ちにくくなる。
【００５６】
（光学シートの変形例）
さらに、上述した実施の形態において、光透過部６５は、第１方向ｄ１に配列され、光吸収部７０は、光透過部６５と第１方向ｄ１に交互に配列されている。しかしながら、光吸収部７０は、シート材７０ａとして形成され、光透過部６５は、シート材７０ａに設けられた孔６５ａとして形成されてもよい。すなわち、光学シート５０は、光吸収部７０を形成するシート材７０ａと、光透過部６５を形成する孔６５ａと、を含んでもよい。
【００５７】
図１２には、光学シート５０の一変形例が示されている。図示された例では、光透過部６５を形成する孔６５ａが、表示面２１と平行な方向に並んでおり、孔６５ａの間に、光吸収部７０を形成するシート材７０ａが並んでいる。なお、図示された例において、孔６５ａは、円形となっているが、任意の形状を有していてもよい。
【００５８】
このような光学シート５０においても、画像非表示状態の表示装置２０の表示面２１、パネル部材４０及び境目Ｂは、光学シート５０の光吸収部７０を形成するシート材７０ａによって、視認されにくくなる。このため、表示面２１、パネル部材４０及び境界Ｂの各々の区別がつきにくくなり、光学シート５０によって、境目Ｂが目立ちにくくなる。
【００５９】
（半透明層を設けた変形例）
図１３に示すように、パネル付き表示装置１０は、光学シート５０上に積層された半透明層１００をさらに有していてもよい。半透明層１００が光学シート５０上に積層されている場合、半透明層１００の最外面が、パネル付き表示装置１０から画像光を出射する出射面１１となる。半透明層１００は、例えばポリカーボネート、ＡＢＳ、アクリル等の透明樹脂の内部に黒色の着色顔料を含むことで、光の透過を抑制している。また、半透明層１００は、表示装置２０からの画像光を透過させることができる十分な可視光透過率を有している。具体的には、半透明層１００の可視光透過率は、２０％以上５０％以下となっている。
【００６０】
ここで、半透明層１００の可視光透過率は、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される。
【００６１】
半透明層１００は、光学シート５０と同様に、表示面２１とパネル部材４０との境目Ｂを覆うように配置される。すなわち、半透明層１００は、パネル部材４０の開口部４７より大きくなっている。半透明層１００の可視光透過率が十分に低くなっているため、半透明層１００によって、表示装置２０の表示面２１と表示装置２０の周辺に設けられた部材であるパネル部材４０との境目Ｂを目立ちにくくすることができる。なお、好ましくは、半透明層１００は、パネル付き表示装置１０を表示面２１の正面から観察した際に、表示面２１、パネル部材４０及び光学シート５０の全面を覆うように配置される。これによって、半透明層１００の有無によって生じる差異が視認されることによる意匠性の低下を避けることができる。
【００６２】
パネル付き表示装置１０が半透明層１００を有する場合の作用について説明する。表示面２１に画像を表示した状態では、表示面２１から出射した画像光は、パネル部材４０の開口部４７及び光学シート５０の光透過部６５を透過し、半透明層１００に入射する。半透明層１００の透過率は２０％以上であるため、十分な明るさの画像光が半透明層１００を透過することができる。したがって、外部の観察者は、出射面１１から出射した画像光を観察することができる。
【００６３】
表示面２１に画像を表示していない状態では、表示面２１とパネル部材４０との境目Ｂは、光学シート５０及び半透明層１００によって覆われている。半透明層１００の可視光透過率は、５０％以下であり、十分に低くなっている。したがって、画像非表示状態の表示装置２０の表示面２１、パネル部材４０及び境目Ｂは、光学シート５０及び半透明層１００によって、より視認されにくくなる。このため、表示面２１、パネル部材４０及び境界Ｂの各々の区別がよりつきにくくなる。すなわち、光学シート５０に加えて、半透明層１００によって、境目Ｂがより目立ちにくくなる。
【００６４】
（表示装置の変形例）
画像光が遮光物によって明暗の画像を表示する光である場合、図１４に示すように、表示装置２０としては、表示画像に対応した透過部を有したシート材２０ａと光源２０ｂとの組み合わせであってもよい。シート材２０ａは、遮光性を有した基材２０ｘと、基材２０ｘに設けられた透過領域（透過部）２０ｙと、を有している。透過領域２０ｙは、例えば、基材２０ｘに形成された貫通孔や、この貫通孔に設けられ特定波長域の光を透過させるフィルム材等によって構成され得る。また、図１４に示された例において、光源２０ｂの発光色が変化し、表示物を複数の色で表示し得るようにしてもよい。
【００６５】
また、表示装置２０には、任意の機能が付与されていてもよい。例えば、表示装置２０がタッチパネルセンサを有していることで、表示装置２０にタッチパネル機能が付与されていてもよい。この例において、タッチパネルセンサを形成する電極層は、パネル３０に積層されて設けられていてもよいし、パネル３０とは別途に設けられていてもよい。
【００６６】
上述したパネル付き表示装置１０は、例えば自動車や鉄道等の車両、航空機、船舶及び宇宙船等の移動体の内装部材または外装部材に用いられる。具体的な一例として、パネル付き表示装置１０は、自動車のセンターコンソールや、ドアトリムに用いられる。あるいは、パネル付き表示装置１０は、建物の内装部材または外装部材、電子機器、家具や電化製品に組み込まれて用いられてもよい。
【００６７】
本発明の態様は、上述した個々の実施の形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００６８】
１０    パネル付き表示装置
２０    表示装置
２１    表示面
３０    パネル
４０    パネル部材
４１    基材部
４５    加飾部
４７    開口部
５０    光学シート
５１    基材層
５３    接合層
５５    意匠部
５７    基材
６０    光制御層
６５    光透過部
６５ａ  孔
７０    光吸収部
７０ａ  シート材
７１    第１部分
７２    第２部分
７５    バインダー樹脂
７７    光吸収粒子
８０    第２光学シート
８５    第２光透過部
９０    第２光吸収部
１００  半透明層
Ｂ    境目
【図１】
2019045842.tif 000003
【図２】
2019045842.tif 000004
【図３】
2019045842.tif 000005
【図４】
2019045842.tif 000006
【図５】
2019045842.tif 000007
【図６】
2019045842.tif 000008
【図７】
2019045842.tif 000009
【図８】
2019045842.tif 000010
【図９】
2019045842.tif 000011
【図１０】
2019045842.tif 000012
【図１１】
2019045842.tif 000013
【図１２】
2019045842.tif 000014
【図１３】
2019045842.tif 000015
【図１４】
2019045842.tif 000016
【図１５】
2019045842.tif 000017
【図１６】
2019045842.tif 000018